(57)【要約】【課題】各種のゲル状ないし液状物質等を収容するのに適した中空容器の開口部を密閉する密閉蓋体を、広口の中空容器の口頸部に対して容易に開閉できるように設けた密閉容器を提供する。【解決手段】  容器の口頸部に嵌着、密閉した蓋体を係止する係止部材４を保持する肩部２ｂをフランジ状に形成すると共に、該肩部に連設して前記係止部材を固定する固定部材３を嵌合、固定する段部２ｃとを設けて広口の中空容器を形成して、押圧変形可能な環状片からなる蓋体６を係止する係止部材４を前記肩部に密着させると共に、前記係止部材に係合して固定する固定部材３を前記段部に嵌合、固定して、前記容器の口頸部２ａに密閉蓋体６を嵌合、固定可能な保持体５を設けて容器本体２を形成して、前記中空容器の口頸部２ａに嵌合されると共に前記係止部材４に係止される内蓋７と、該内蓋の外側に被着して前記係止部材を押圧可能にした外蓋８とを一体にした密閉蓋体６を、前記容器本体に嵌合、固定すると共に着脱自在となした開閉が容易な密閉蓋体を有する密閉容器を構成する。【選択図】図２
2005053514.tif 000002
【特許請求の範囲】
【請求項１】
内容物を収容可能に形成した中空容器の肩部に、蓋体を係止する係止部材を保持可能に形成すると共に、前記係止部材を固定する固定部材を固定可能に形成した中空容器に、押圧変形可能な係止部材と該係止部材を係合、固定する固定部材とからなる密閉蓋体を保持可能な保持体を中空容器の肩部に嵌合、固定して形成した容器本体に、前記中空容器の口頸部に嵌着されると共に前記保持体の係止部材に外周面を係止可能にした内蓋と、該内蓋に被着して前記係止部材に押圧可能に当接する外蓋とから二重構造に形成してなる密閉蓋体を、着脱可能に嵌合、固定して密閉したことを特徴とする容易に開閉可能な密閉蓋体を有する密閉容器。
【請求項２】
口頸部に嵌着、密閉した蓋体を係止する係止部材を保持する肩部をフランジ状に形成すると共に、該肩部に連設して前記係止部材を固定する固定部材を嵌合、固定する段部とを設けて形成した中空容器に、押圧変形可能な環状片からなる蓋体を係止する係止部材を前記肩部に密着すると共に、前記係止部材に係合して固定する固定部材を前記段部に嵌合、固定して密閉蓋体を保持可能な保持体を設けて容器本体を形成して、前記中空容器の口頸部に嵌着されると共に前記保持体の係止部材に外周面を係止可能にした内蓋と、該内蓋に被着して前記係止部材に押圧可能に当接する外蓋とから二重構造に形成してなる密閉蓋体を、前記容器本体に着脱可能に嵌合、固定して密閉してことを特徴とする容易に開閉可能な密閉蓋体を有する密閉容器。
【請求項３】
前記係止部材は、前記肩部の上面に密着する下部環状片と蓋体を係止する係止片を設けた上部環状片とを弾性片を介して連結して圧縮変形可能に形成してなることを特徴とする請求項１および請求項２記載する容易に開閉可能な密閉蓋体を有する密閉容器。
【請求項４】
前記固定部材は、前記係止部材に嵌合、密着して下部環状片に係合する内筒部と、該内筒部の上端に設けた頂壁部を介して垂設して前記段部に嵌合、固定する外筒部からなることを特徴とする請求項１および請求項２記載する容易に開閉可能な密閉蓋体を有する密閉容器。
【請求項５】
前記密閉蓋体は、前記中空容器の口頸部に嵌着可能に形成した内蓋の先端外周部に前記係止部材の係止片に係合可能な係合突起を設けると共に、天板部の外周縁に外蓋係合突起を設けて、前記保持体の係止部材に係止可能に形成されてることを特徴とする請求項１および請求項２に記載する容易に開閉可能な密閉蓋体を有する密閉容器。
【請求項６】
前記密閉蓋体は、前記外蓋の先端内周部に前記内蓋の天板の外周縁に外蓋部の係合突起に係止する係止突起を設けると共に、天板の内面に弾性片を設けて、内蓋に上下動可能に被着せしめて、前記保持体の係止部材を押圧可能に形成してなることを特徴とする請求項１および請求項２に記載する容易に開閉可能な密閉蓋体を有する密閉容器。
【発明の詳細な説明】
【技術分野】
【０００１】
本願の発明は、各種の内容物を収容した中空容器の開口部に開閉自在に密閉蓋を嵌着した密閉容器に係わるもので、中でも、クリームや白粉等の化粧料、あるいは、各種のゲル状ないし液状物質等を収容するのに適した中空容器の開口部を密閉する密閉蓋体を、広口の中空容器の口頸部に対して容易に開閉できるように設けた密閉容器に関するものである。
【背景技術】
【０００２】
従来からクリームや白粉等の化粧料を収容する容器、あるいは、ジャムやバターその他のゲル状または液状の食品類を収容する容器、また、靴墨やワックス等の日用品を収容する容器には、広口の中空容器が多用されてきた。
そして、これらの内容物を収容した広口の中空容器は、開閉自在にした蓋体により密閉されており、その一般的な例としては、実公昭５３−７９４１号や実公平７−２３４１１号、特開平１０−２０３５４号公報に見るように、ガラスや合成樹脂等で成形した中空容器の開口部に、金属または合成樹脂、エボナイト等を用いて形成したネジ蓋や嵌合蓋を、開閉自在に螺着または嵌着して密閉する密閉容器が使用されてきた。
【０００３】
上記のような密閉容器は、密閉蓋を開けるのに専用の道具がなくても開封することができて、また、開封して使用した蓋は再び簡単に密閉することができるので、非常に便利であることから多くの密閉容器に使用されている。
しかし、このような密閉容器においては、容器本体の口頸部に形成されたネジ山に対して、内周面に前記ネジ山と同一ピッチのネジが設けられたネジ蓋を螺合させるか、または、容器本体の口頸部に形成された係合突起に係合する係合部を設けた嵌合蓋を、口頸部に嵌合せしめて係止することにより、容器の開口部を開閉自在に密閉するようにしたものであるから、蓋体の開閉は丁寧に行うことが必要なので面倒に感ずることがあった。
【０００４】
また、上記した容器の口頸部が大きい容器である場合には、容器本体の口頸部にネジ蓋を螺合するには、口頸部のネジ山の先端部にネジ蓋のネジ溝を正確に噛み合わせてから、ネジ蓋を半周以上にわたって回転させなければならないし、また、蓋体を回動させて開いたり、押し上げて開いたりするには、指先にやや大きな力を必要とするので、指先の力が弱い老人や病弱な人にとっては開けにくい場合がある。
【発明の開示】
【発明が解決しようとする課題】
【０００５】
本願の発明は、中空容器の開口部に開閉可能な密閉蓋体を設けた密閉容器に於いて、前記密閉蓋体を容器本体の口頸部に対して容易に開閉できるような蓋体に形成すると共に、前記密閉蓋体を口頸部に嵌着して開口部を閉じた時に、容器の開口部が高い密封性を保つことができるように形成することにより、上記したような問題点を解決しようとするものである。
そして、中空容器の口頸部に被着して密封状態を保持する密閉蓋体は、可能な限り簡単な構造に形成すると共に、色々な多くの中空容器に適用でるような構造に形成して、更には、前記密閉蓋体は、指先の力が弱くても簡単に開閉できるような構造に形成した密閉容器を提供しようとするものである。
【課題を解決するための手段】
【０００６】
本願発明は、上記したような課題を解決するために、ゲル状ないし液状をした内容物を収容可能に形成した中空容器の口頸部に、密閉蓋体を係止する係止部材を保持する肩部をフランジ状に形成すると共に、前記肩部に連設して前記係止部材を固定する固定部材を嵌合、固定可能にした段部を設けて容器の外周壁を垂設した中空容器を形成し、そして、前記中空容器の肩部に別体に形成された蓋体を保持する保持体を嵌合、固定して容器本体を構成する。
また、前記蓋体を保持する保持体は、中空容器の口頸部を挿通して肩部に密着した圧縮変形可能な環状片に蓋体を係止する係止片を設けた係止部材と、前記係止片に嵌合して前記外周壁の段部に嵌合して固定する固定部材とから形成して、前記中空容器の肩部に嵌合、固定可能な保持体に形成する。
【０００７】
容器本体の口頸部に被着して開口部を密閉する蓋体は、前記容器本体の口頸部の外周面に蓋体の内周面が密着すると共に、容器本体の肩部に設けられた蓋体の係止部材に外周面が係止するように形成した内蓋と、該内蓋を覆うように被着されて前記係止部材を押圧可能に形成した外蓋とを一体に嵌合せしめた嵌合形式の密閉蓋体に形成する。
そして、前記したように蓋体の保持体を嵌合、固定可能に形成した中空容器の肩部に、上記した係止部材と固定部材とからなる蓋体を保持する保持体を嵌合、固定せしめて密閉蓋体を嵌着可能にした容器本体を形成して、該容器本体の口頸部に前記した密閉蓋体を着脱可能に嵌着せしめて、容易に開閉可能な密閉蓋体を有する密閉容器を構成する。
【発明の効果】
【０００８】
本願発明の密閉容器は、蓋体を係止する係止片を設けた圧縮変形可能な係止部材と、前記係止部材を嵌合して容器の外周壁に嵌合する固定部材とからなる蓋体の保持体を、広口の中空容器の肩部に嵌合、固定せしめて密閉蓋体を着脱可能にした容器本体に形成して、該容器本体の口頸部に密閉蓋体を嵌合したので、前記蓋体の保持体に係止されて密閉した密閉蓋体を下方に押圧することにより、密閉蓋体を保持体による係止状態から開放することができて、係止状態から解かれた密閉蓋体は口頸部から小さな力で簡単に分離することができる。
【発明を実施するための最良の形態】
【０００９】
本願発明の密閉容器は、合成樹脂やガラスその他によりゲル状または液状の内容物を収容可能にした中空容器を成形して、前記中空容器の開口部を密閉する密閉蓋体６を口頸部２ａに係止する係止部材４を保持する肩部２ｂをフランジ状に形成すると共に、前記肩部に連設して前記係止部材を固定する固定部材３を嵌合、固定する段部２ｃを設けて容器の外周壁を垂設して、蓋体を密閉状に保持する保持体５を嵌合、固定可能にした中空容器２を形成する。
また、前記中空容器２の口頸部２ａに挿通して肩部に密着する下部環状片４ａと、蓋体を係止する係止片を設けた上部環状片４ｄとを弾性片４ｃにより連結した押圧により圧縮変形が可能な係止部材４と、前記係止部材に嵌合、密着して前記外周壁の段部に嵌合して固定される固定部材３とから蓋体を密閉状に保持する保持体５を形成し、そして、前記保持体を上記のように形成した中空容器２の肩部に嵌合、固定して、密閉蓋体６を着脱自在に嵌合、保持可能にする容器本体１を構成する。
【００１０】
そして、前記容器本体１の口頸部２ａに嵌着して開口部を密閉する密閉蓋体６を、前記容器本体の口頸部２ａの外周面に蓋体の内周面が密着すると共に、容器本体１の肩部に設けられた前記保持体５の係止部材３の内面に蓋体の外周面が係止するように形成した内蓋７と、該内蓋を覆うように被着して前記係止部材４を押圧するように形成した外蓋８とを嵌合、一体化した嵌合形式の密閉蓋体６に形成する。
このように形成した密閉蓋体６を、上記のように構成した容器本体１の口頸部２ａに嵌合せしめて、前記密閉蓋体の内蓋７が保持体５の係止部材４に係止して、前記密閉蓋体６を着脱自在に嵌合、固定して容易に開閉可能な密閉容器を形成する。
【実施例】
【００１１】
本願の発明について、一つの最適な実施例に基づいて、図面を参照しつつ以下に説明する。
本願発明は、熱可塑性合成樹脂の射出成形によりゲル状あるいは液状物質等の内容物を収容可能な中空容器２を成形すると共に、前記中空容器の口頸部２ａに開口部を密閉する密閉蓋体６を着脱自在に嵌合可能に成形して、また、前記口頸部２ａに嵌合する密閉蓋体６を密閉状態に保つために、前記中空容器２の肩部２ｂに蓋体を係止する係止部材４を保持するのに適するフランジ状に形成すると共に、前記肩部に連設して前記係止部材４を容器に固定するための固定部材３を嵌合、固定する段部２ｃを設けて容器の外周壁を垂設せしめて、開口部を密閉する密閉蓋体を密閉状に保持するための保持体５を嵌合、固定可能にした中空容器に形成する。
【００１２】
そして、前記密閉蓋体を密閉状に保持する保持体５は、前記中空容器の口頸部２ａに挿通して肩部２ｂ面に密着する下部環状片４ａに弾性片４ｃを介して蓋体を係止する係止片４ｅを設けた上部環状片４ｄを連結した圧縮変形可能に形成した係止部材４と、前記係止部材に嵌合、密着して前記下部環状片４ａの上面４ｂに係合して押圧、固定する内筒部５ｂと、該内筒部の上端に設けた頂壁部５ｃに垂設して前記段部２ｃに嵌合する外筒部５ｄを有する固定部材３とから形成されて、前記保持体５を上記した中空容器２の肩部に嵌合、固定して、口頸部２ａに被着する密閉蓋体６を着脱自在に嵌合可能に形成した容器本体１を構成する。
【００１３】
また、上記容器本体の口頸部２ａに嵌合する密閉蓋体６は、容器本体の口頸部２ａの外周面に蓋体の内周面が密着すると共に、容器本体の肩部２ｂの上面に設けられた前記保持体の係止部材４に係止する係合突起を蓋体の外周面に設けた内蓋７と、該内蓋を覆うように被着して前記係止部材４を押圧可能にした外蓋８とを一体にしてなる二重蓋構造をした嵌合形式の密閉蓋体に形成する。
そして、上記のように二重蓋構造をした密閉蓋体６は、内蓋７は口頸部に嵌合、密着するように形成されると共に、内蓋の開口端部の外周部には係止部材４に係合する係合突起７ａが設けられて密閉、保持するように形成されて、また内蓋７の天板の外周縁は嵌合した外蓋８の抜け止めをする係止突起７ｂが形成され、また、前記外蓋８には先端内側に内蓋７の係止突起７ｂに係止する係合突起８ａが形成されると共に、天板内面に弾性片８ｂが設けられて保持体５の係止部材４を押圧可能に形成されている。
【００１４】
上記のように形成された密閉蓋体６を、内容物が内部に収容される上記した容器本体１の口頸部２ａに嵌合せしめて、図２に示したように、前記密閉蓋体６を前記保持体５の係止部材４に係止すると、図１に示すような密閉蓋体６を容易に開閉可能に設けられた密閉容器が構成される。
そこで、このような構成にした密閉容器は、前記密閉蓋体６を保持体５から開放した状態にして、前記容器本体２内にクリームや白粉等の化粧料その他の内容物を充填して収容してから、図５に示すように、開口端部にアルミ箔その他の密封体９を設けて密封するか、または、図６に示すように、密閉蓋体６の内蓋７の内面にパッキン材１０を設けて（密封体とパッキン材の両方を設けることも可能である）おいて、密閉蓋体６の開口端を容器本体２の口頸部２ａに係合させて、指先で前記密閉蓋体の外蓋８の天板面を押圧すると、図４に示すように、外蓋８の内面に突設して設けられた弾性片８ｂは徐々に湾曲して、弾性片の抗力がある程度の大きさに達すると、外蓋８は内蓋７の天板面を強く押圧して内蓋７を押し下げることになる。
【００１５】
上記のようにして、密閉蓋体６の外蓋８と内蓋７が同時に押し下げられると、内蓋７の先端部に設けられた係合突起７ａは、図４に示すように、蓋体を保持する保持体５を形成している係止部材４の係止片４ｅの上端部に当接して、該係止部材を押し下げようとする。
しかし、前記係合突起７ａと係止片４ｅとの間の嵌合摩擦力よりも係止部材４の弾性片４ｃの弾性力の方が強くなるように形成してあるから、内蓋７の係合突起７ａは、図２に示すように、係止片４ｅの係止突起４ｆを乗り越えてアンダーカット下部面に達して係合すると共に、外蓋８の先端部は係止片４ｅの上端に密着して停止する。
【００１６】
そこで、前記密閉蓋体の外蓋８の天板面から指先を離すと、前記係止部材４の弾性片４ｃの復元力で外蓋８が押し上げられると同時に、前記外蓋の弾性片８ｂは元の状態に復元するので、外蓋８の係合突起８ａは内蓋７の係止突起７ｂに係止すると共に、内蓋７の係合突起７ａが係止部材４の係止片４ｅ先端の係止突起４ｆに係合するので、密閉蓋体６は口頸部２ａに嵌合して保持体５により固定された状態になり、図１に示すように、容器の開口部を密閉した密閉蓋体６は、容器本体１に着脱可能に係止されて容易に開閉可能な密閉蓋体を有する密閉容器が形成される。
【００１７】
上記のように形成された密閉容器に於いて、密閉蓋体６を開いて内容物を取り出して使用する際には、図２に示すように密閉状態に固定されている密閉蓋体６の外蓋８の天板部を指先で下方へ押圧すると、外蓋８は天板内面に設けられた弾性片８ｂが少しばかり圧縮されて下降するので、外蓋８の先端部が係止部材４の係止片４ｅの上端に当接して係止部材４の上端部を下方へ押圧する結果、図４に示すように、係止部材４の弾性片４ｃが圧縮されて係止片４ｅが押し下げられることになる。
【００１８】
その結果、内蓋７の先端部の係合突起７ａは係止部材４の係止突起４ｆから外れて自由な状態になるので、外蓋８の側面を指先に掴んで引き上げることにより、図５に示すように、密閉蓋体６は容器本体１の口頸部２ａから簡単に分離することができて、片手でも開蓋が可能になる。
この時、図１に示すように、容器本体１の密閉蓋体６を固定するように保持している保持体５の上端面の一部に窪み５ａを設けておくと、外蓋８の側面を指先で極めて容易に掴むことができる。（図１には窪み５ａを２か所に設けたものが示されているが、このような窪みはなくてもよい。）
【００１９】
このようにして密閉蓋体６が開封された密閉容器は、容器本体１の開口部を密封している密封材９を剥ぎ取ると、内容物が現れて取り出し可能となるので、塗布具や指先等に内容物を付着させて使用可能となる。
そして、使用した後で再び閉蓋して密閉保存するには、図６に示すように、密閉蓋体６の内蓋７の開口端を容器本体１の口頸部２ａに係合させてから、前記内蓋７の先端部の係合突起７ａを係止部材４の係止片４ｅに当接させて外蓋８の天板面を押圧すると、内蓋７の係合突起７ａは、図２に示すように、係止部材４の係止突起４ｆを乗り越えてアンダーカット下部面に係合して、密閉蓋体６を保持体に着脱可能に固定して密閉することができる。
【図面の簡単な説明】
【００２０】
【図１】本願の密閉容器を示す斜視図である。
【図２】図１に示す密閉容器のＸ−Ｘ断面である。
【図３】密閉蓋体を保持する保持体の係止部材を示す斜視図である
【図４】密閉蓋体を押圧して容器本体から分離可能にした状態を示す断面図である。
【図５】密閉蓋体を容器本体から分離した状態を示す断面図である。
【図６】密閉蓋体を押圧して容器本体に嵌着させる状態を示す断面図である。
【符号の説明】
【００２１】
１．  容器本体
２．  中空容器
２ａ．  口頚部
２ｂ．  肩部
２ｃ．  段部
３．  固定部材
４．  係止部材
５．  保持体
６．  密閉蓋体
７．  内蓋
８．  外蓋
９．  密封体
１０．パッキン材
【図１】
2005053514.tif 000003
【図２】
2005053514.tif 000004
【図３】
2005053514.tif 000005
【図４】
2005053514.tif 000006
【図５】
2005053514.tif 000007
【図６】
2005053514.tif 000008